(57)【特許請求の範囲】
【請求項１】
フィルムパトローネ室とスプール室を有するカメラボディと；
このカメラボディに枢着された裏蓋と；
上記カメラボディの上記スプール室側の端部に一端部が枢着され、他端部にフィルム押えローラーを有するローラー支持アームと；
上記カメラボディ側に設けられたこのローラー支持アームの付勢手段と；
上記裏蓋を閉じた状態では上記付勢手段を介して上記ローラー支持アームと上記フィルム押えローラーを上記スプール室内のスプールに向けて移動付勢し、上記裏蓋を開いた状態ではこの付勢力を解放する、上記裏蓋側に設けられた押え手段と；
を備え、
上記裏蓋は、該裏蓋の一側部が上記カメラボディに枢着されており、上記押え手段は、上記裏蓋の一側部に沿って形成されたカム部と；上記裏蓋の一側部近傍の該裏蓋内側面に形成された押圧凸部と；を有していることを特徴とするフィルム押えローラーの装着構造。
【請求項２】
請求項１記載のフィルム押えローラーの装着構造において、付勢手段は、一端部がカメラボディに支持され他端部がローラー支持アームと係合する板ばねであるフィルム押えローラーの装着構造。
【請求項３】
請求項２記載のフィルム押えローラーの装着構造において、板ばねの上記他端部は、ローラー支持アームに対して摺動可能に係合するフィルム押えローラーの装着構造。
【請求項４】
請求項１ないし３のいずれか１項記載のフィルム押えローラーの装着構造において、ローラー支持アームのカメラボディに枢着された一端部は、カメラの前後方向に関して、スプールの回動中心と略同位置に配設されているフィルム押えローラーの装着構造。
【請求項５】
請求項１ないし４のいずれか１項記載のフィルム押えローラーの装着構造において、ローラー支持アームは、スプールと同心の円筒面に略沿った湾曲形状に形成されているフィルム押えローラーの装着構造。
【請求項６】
請求項５記載のフィルム押えローラーの装着構造において、裏蓋は、閉じられた状態でローラー支持アームと隣接する部分が、ローラー支持アームの湾曲形状に沿った湾曲形状とされているフィルム押えローラーの装着構造。
【請求項７】
請求項６記載のフィルム押えローラーの装着構造において、湾曲形状とされた裏蓋の内側面には、裏蓋が閉じられた状態でフィルム押えローラーの一部を受容する凹部が形成されているフィルム押えローラーの装着構造。
【請求項８】
フィルムパトローネ室とスプール室を有するカメラボディと；
このカメラボディに枢着された裏蓋と；
上記カメラボディの上記スプール室側の端部に一端部が枢着され、他端部にフィルム押えローラーを有するローラー支持アームと；
上記カメラボディ側に設けられたこのローラー支持アームの付勢手段と；
上記裏蓋を閉じた状態では上記付勢手段を介して上記ローラー支持アームと上記フィルム押えローラーを上記スプール室内のスプールに向けて移動付勢し、上記裏蓋を開いた状態ではこの付勢力を解放する、上記裏蓋側に設けられた押え手段と；
を備え、
上記ローラー支持アームは、上記スプールと同心の円筒面に略沿った湾曲形状に形成されており、
上記裏蓋は、閉じられた状態で上記ローラー支持アームと隣接する部分が、該ローラー支持アームの湾曲形状に沿った湾曲形状とされていることを特徴とするフィルム押えローラーの装着構造。
【発明の詳細な説明】
【０００１】
【発明の属する技術分野】
本発明は、裏蓋を閉じた状態でフィルムをスプールに対して押圧する、カメラのフィルム押えローラーの装着構造に関する。
【０００２】
【従来技術およびその問題点】
フィルム装填の際、フィルムパトローネ室にセットしたフィルムパトローネからフィルムの先端をスプール室まで引き出した後に裏蓋を閉じると、スプール室内のスプールがフィルムの先端を自動的に巻き込む機構、所謂オートローディング機構を有するカメラは一般に知られている。この種のカメラには、フィルム装填の際に裏蓋を閉じたとき、スプールがフィルム先端を確実に巻き込むように、フィルムをスプールに対して押圧するフィルム押えローラーが設けられている。図７ないし図９は、このようなカメラのフィルム押えローラーの装着構造の従来例を示している。同図中の１は開閉自在な裏蓋、２はカメラボディ、３はスプール室、４はこのスプール室３内に配設されたスプール、５はアパーチャ枠、６はスプロケット、Ｆはフィルムである。
【０００３】
同図に示すように、従来のカメラでは、フィルム押えローラー７を有する板ばね８が裏蓋１の内側面に固定されていた。しかしながら、このような従来の構造を有するカメラでは、カメラボディ２の形状が同図に示すような形状、即ちカメラボディ２のスプール室３を形成する側壁端部２ａが、カメラの前後方向（図７ないし図９の上下方向）に関してアパーチャ枠５よりも前方（物体側）にある場合、図９に示すように裏蓋１を閉じた時にフィルムＦ先端を側壁端部２ａと板ばね８との間に挟み込んでしまいローディングエラーとなる虞れがあった。
【０００４】
【発明の目的】
本発明は、以上の問題点に鑑みて成されたもので、裏蓋を閉じた状態でフィルムをスプールに対して押圧するフィルム押えローラーを備えた、オートローディング機構を有するカメラにおいて、フィルム装填の際にフィルムの先端がスプールに確実に巻き込まれるようにする、カメラのフィルム押えローラーの装着構造を提供することを目的とする。
【０００５】
【発明の概要】
本発明のフィルム押えローラーの装着構造は、フィルムパトローネ室とスプール室を有するカメラボディと；このカメラボディに枢着された裏蓋と；上記カメラボディの上記スプール室側の端部に一端部が枢着され、他端部にフィルム押えローラーを有するローラー支持アームと；上記カメラボディ側に設けられたこのローラー支持アームの付勢手段と；上記裏蓋を閉じた状態では上記付勢手段を介して上記ローラー支持アームと上記フィルム押えローラーを上記スプール室内のスプールに向けて移動付勢し、上記裏蓋を開いた状態ではこの付勢力を解放する、上記裏蓋側に設けられた押え手段と；を備え、上記裏蓋は、該裏蓋の一側部が上記カメラボディに枢着されており、上記押え手段は、上記裏蓋の一側部に沿って形成されたカム部と；上記裏蓋の一側部近傍の該裏蓋内側面に形成された押圧凸部と；を有していることを特徴としている。
【０００６】
また本発明のフィルム押えローラーの装着構造は、フィルムパトローネ室とスプール室を有するカメラボディと；このカメラボディに枢着された裏蓋と；
上記カメラボディの上記スプール室側の端部に一端部が枢着され、他端部にフィルム押えローラーを有するローラー支持アームと；上記カメラボディ側に設けられたこのローラー支持アームの付勢手段と；上記裏蓋を閉じた状態では上記付勢手段を介して上記ローラー支持アームと上記フィルム押えローラーを上記スプール室内のスプールに向けて移動付勢し、上記裏蓋を開いた状態ではこの付勢力を解放する、上記裏蓋側に設けられた押え手段と；
を備え、上記ローラー支持アームは、上記スプールと同心の円筒面に略沿った湾曲形状に形成されており、上記裏蓋は、閉じられた状態で上記ローラー支持アームと隣接する部分が、該ローラー支持アームの湾曲形状に沿った湾曲形状とされていることを特徴としている。
【０００７】
【発明の実施の形態】
以下図面を参照して本発明を説明する。図１は、本発明を適用したカメラ１０を、裏蓋を開放した状態で背面側から視た外観図である。この裏蓋は、図４ないし図６に裏蓋２１として描かれており、図１には描かれていない。このカメラ１０は、公知のオートローディング機構を有するもので、カメラボディ１１の左右にフィルムパトローネ室１２とスプール室１３を有し、これらフィルムパトローネ室１２とスプール室１３の間に、撮影画面を決定する矩形の撮影開口１４を備えたアパーチャ枠１５を有している。このアパーチャ枠１５とスプール室１３の間にはスプロケット１６が設けられており、スプール室１３内には、駆動モータ（図示せず）により回転駆動されるスプール１７が設けられている。撮影開口１４の上方には、ファインダ接眼部１８が設けられている。
【０００８】
スプール１７とスプロケット１６の間には、公知のフィルムガイド１９が設けられている。このフィルムガイド１９は、固定端部１９ｂがカメラボディ１１に固定された板ばね１９ａと、この板ばね１９ａの自由端部１９ｃに回動自在に支持されたローラー１９ｄとからなっており、板ばね１９ａの付勢力によってローラー１９ｄをスプール１７に巻き取られたフィルムに対して押し付ける。
【０００９】
カメラ１０は、フィルムパトローネ室１２やスプール室１３を含むカメラボディ１１の内部空間を開閉する裏蓋２１を有している。この裏蓋２１は、カメラボディ１１の右側壁１１ａにその両端部が支持された軸２０を介して、その一側部２１ａがカメラボディ１１に対して回動自在に支持されている。
【００１０】
また裏蓋２１は、閉じたときにスプール室１３を覆う部分２１ｂが、略円柱形状の空間を有するスプール室１３の湾曲側面形状に沿った湾曲形状に形成されている。そしてアパーチャ枠１５を覆う部分２１ｃは、平坦なアパーチャ枠１５の形状に沿った直線形状とされている。
【００１１】
カメラボディ１１のスプール室１３を形成する湾曲形状の側壁１１ｂの端部１１ｃ近傍には、ローラー支持アーム２６が設けられている。このローラー支持アーム２６は、スプール１７と同心の円筒面に略沿った湾曲形状に形成されており、かつ裏蓋２１の湾曲形状部分２１ｂの内側面の湾曲形状に対応する形状とされている。
【００１２】
このローラー支持アーム２６の一端部（自由端部）にはフィルム押えローラー２５が設けられている。より詳細には、フィルム押えローラー２５には軸２５ａが一体に形成されており、この軸２５ａが、ローラー支持アーム２６の一端部に形成された軸受部２６ａに回動自在に嵌っている。ローラー支持アーム２６の他端部には、軸２５ａと平行な同軸上に位置する一対の軸２６ｂが一体に形成されており、各軸２６ｂは、カメラボディ１１の側壁１１ｂの端部１１ｃ近傍に形成された対応する軸受溝１１ｄ（図３）に嵌められている。図４から分かるように、軸２６ｂは、カメラ１０の前後方向（図４ないし図６の上下方向）に関して、スプール１７の回動中心Ｃと略同位置で支持される。またローラー支持アーム２６のフィルム押えローラー２５と軸２６ｂの間には、軸２６ｂ及び軸２５ａと平行な係合柱２６ｃが形成されている。この係合柱２６ｃには、板ばね２８の自由端部が摺動可能に係合する。
【００１３】
カメラボディ１１の側壁１１ｂにはねじ２９を介して金属の薄板からなる止板３０が固定されている。この止板３０は、互いに平行な一対の腕部３０ａを有しており、各腕部３０ａが、内部に軸２６ｂが嵌まった対応する軸受溝１１ｄ上の当接面１１ｅに当接して軸２６ｂの軸受溝１１ｄからの脱出を防いでいる。この構造により、ローラー支持アーム２６は、軸２６ｂを介してカメラボディ１１に枢着されている。止板３０の各腕部３０ａの先端部３０ｂは断面コ字形状（鍵形状）に形成されており、各先端部３０ｂは、側壁１１ｂの端部１１ｃに掛けられている（図１）。
【００１４】
またカメラボディ１１の側壁１１ｂには、ローラー支持アーム２６をスプール１７に向かう方向に付勢するための板ばね２８が固定されている。この板ばね２８は、裏蓋２１が完全に開放された状態（図４に示す状態）における自由状態では、その付勢力を解放してローラー支持アーム２６の自由端部をスプール１７から所定距離離間させた位置で保持するもので、固定端部２８ａが止板３０と共に側壁１１ｂに対して共通のねじ２９を介して共締めされている。止板３０と板ばね２８のそれぞれに形成された孔３０ｃと孔２８ｂには、カメラボディ１１の側壁１１ｂに突設された対応する位置決め突起（図示せず）がそれぞれに嵌入する。
【００１５】
板ばね２８は、その自由端部に係合フォーク部２８ｅを有している。この係合フォーク部２８ｅは、同一平面内に位置する２本のフォーク２８ｃと、これら２本フォーク２８ｃの間に位置しかつ上記同一平面よりスプール１７に近い側に位置する中間フォーク２８ｄとからなっている。
【００１６】
この係合フォーク部２８ｅが、ローラー支持アーム２６の係合柱２６ｃと係合している。より詳細には、この２本のフォーク２８ｃと中間フォーク２８ｄの間には、図４ないし図６に示すように係合柱２６ｃを挟み込ませており、ローラー支持アーム２６が回動すると、係合柱２６ｃが２本のフォーク２８ｃと中間フォーク２８ｄの間を摺動する。
【００１７】
軸２０によって回動自在とされた裏蓋２１の一側部２１ａには、この一側部２１ａに沿ってカム部３２が形成されている。このカム部３２は、裏蓋２１を完全に開放した状態にて板ばね２８を押圧することのない第１カム面３２ａと、裏蓋２１を閉じると板ばね２８をスプール１７に向けて押圧する第２カム面３２ｂとを有している。さらに裏蓋２１の内側面２１ｄには、一側部２１ａの近傍に位置させて押圧凸部２１ｅが形成されている。この押圧凸部２１ｅは、裏蓋２１を閉じた状態で、第２カム面３２ｂと共に板ばね２８をスプール１７に向けて押圧する。これらカム部３２と押圧凸部２１ｅにより押え手段を構成している。
【００１８】
また裏蓋２１の内側面２１ｄには、裏蓋２１が閉じられた状態でフィルム押えローラー２５の一部を受容する凹部２１ｆが形成されている。この凹部２１ｆには、スプール１７に巻き込まれているフィルムＦの量が少ないときにはローラー２５は入り込まないが（例えば図５に示す状態）、スプール１７に巻き込まれているフィルムＦの量が多い場合、ローラー２５の裏蓋２１に対向する部分が進入可能となっている。この凹部２１ｆを設けることにより、裏蓋２１の湾曲形状部分２１ｂのカメラ後方への出っ張りを抑えている。さらに裏蓋２１の内側面２１ｄには、フィルムＦのパーフォレーション（図示せず）がスプロケット１６の係合突起１６ａと確実に係合するように、裏蓋２１を閉じた状態でフィルムＦに当接してフィルムＦをスプロケット１６に向かう方向に若干押圧するローラー３４が設けられている。
【００１９】
以上の構成を有する本発明を適用したカメラ１０でのフィルム装填の際の動作を以下に説明する。先ず、未使用のフィルムパトローネ（図示せず）をフィルムパトローネ室１２にセットし、該フィルムパトローネからフィルムＦの先端をスプール室１３まで引き出してスプール１７上に位置させる（図４）。この状態から裏蓋２１を閉じると、先ず第２カム面３２ｂが板ばね２８をスプール１７に向かう方向に押圧し、続いて押圧凸部２１ｅが板ばね２８をさらにスプール１７に向かう方向に押圧し、最後にローラー３４がフィルムＦをスプロケット１６に向かう方向に押圧する（図５）。つまり、カム部３２と押圧凸部２１ｅからなる押え手段が、裏蓋２１を閉じた状態では板ばね２８を介してローラー支持アーム２６とフィルム押えローラー２５をスプール１７に向けて移動付勢する。これにより、ローラー支持アーム２６は、第２カム面３２ｂ及び押圧凸部２１ｅによる板ばね２８の移動により図４の時計回り方向に回転し、続いて板ばね２８の付勢力によりフィルム押えローラー２５をスプール１７上のフィルムＦに対して押し付ける。
【００２０】
その後、オートローディング機構によってスプール１７が巻き上げ方向（図５の反時計回り方向）に回転してフィルムＦを自動的に巻き上げ、撮影コマの１駒目の頭出しが完了したら巻き上げが停止されて撮影準備が完了する。撮影終了後、フィルムパトローネ内にフィルムが完全に巻き戻された後に裏蓋２１を開放すると、カム部３２と押圧凸部２１ｅは板ばね２８の押圧を解除し、よって板ばね２８を介してローラー支持アーム２６とフィルム押えローラー２５をスプール１７に向けて移動付勢していた付勢力は開放されるので、ローラー支持アーム２６はその自由端部がスプール１７から所定距離離間させた位置で保持される。
【００２１】
この本発明を適用したカメラ１０によれば、図４に示すように、フィルム装填の際、フィルムＦの先端がローラー支持アーム２６を越えてカメラボディ１１外部へ逸れることがないので、フィルムＦの先端はスプール１７に確実に巻き込まれる。
【００２２】
上記実施例では、板ばね２８と止板３０が別部材として構成されているが、一体に形成する構成としてもよい。また、板ばね２８を、同様の機能を有するスナップばね等の他の付勢手段に代える構成としてもよい。
【００２３】
【発明の効果】
以上のように、本発明のフィルム押えローラーの装着構造によれば、カメラボディのスプール室側の端部に一端部が枢着され、他端部にフィルム押えローラーを有する本発明特有のローラー支持アームを設ける構成としたので、フィルム装填の際にフィルムの先端がスプールに確実に巻き込まれる。
【図面の簡単な説明】
【図１】本発明を適用したカメラのカメラボディを背面側から視た外観図である。
【図２】ローラー支持アーム、止板、及び板ばねの位置関係を示す分解斜視外観図である。
【図３】フィルム押えローラーを支持したローラー支持アームを拡大して示す斜視外観図である。
【図４】図１に示すカメラの本発明に係る要部を示す断面図である。
【図５】図４とは異なった状態にある同要部を示す断面図である。
【図６】図４及び図５とは異なった状態にある同要部を示す断面図である。
【図７】図４に対応する従来のカメラの要部を示す断面図である。
【図８】図５に対応する従来のカメラの同要部を示す断面図である。
【図９】図６に対応する従来のカメラの同要部を示す断面図である。
【符号の説明】
１０  カメラ
１１  カメラボディ
１２  フィルムパトローネ室
１３  スプール室
１４  撮影開口
１５  アパーチャ枠
１６  スプロケット
１７  スプール
２１  裏蓋
２１ｅ  押圧凸部
２１ｆ  凹部
２５  フィルム押えローラー
２６  ローラー支持アーム
２８  板ばね
３０  止板
３２  カム部
３２ａ  第１カム面
３２ｂ  第２カム面
【図１】
0003619294.tif 000002
【図２】
0003619294.tif 000003
【図３】
0003619294.tif 000004
【図４】
0003619294.tif 000005
【図５】
0003619294.tif 000006
【図６】
0003619294.tif 000007
【図７】
0003619294.tif 000008
【図８】
0003619294.tif 000009
【図９】
0003619294.tif 000010